(57)【特許請求の範囲】
【請求項１】
各ページに、当該ページの固有情報と、少なくとも前後の１ページとの関連を示す共有情報を含む識別情報が付された複数ページからなる原稿束の各ページの画像データを連続して読み取る画像読取装置において、各ページの画像データを前記識別情報と対応付けて保存する画像記憶部を有し、読み取ったページの画像データから前記識別情報を抽出し、前記画像記憶部に当該画像データと識別情報とを対応付けて記憶する識別情報抽出部と、前記画像記憶部に記憶された各ページの識別情報に基づいて読み取りを欠落したページを検出する欠落ページ検出部と、前記欠落ページ検出部で欠落ページが検出された場合、前記原稿束の読み取り完了後に表示部に前記欠落したページの識別情報を表示して、前記原稿束の読み取りを促し、再度載置された前記原稿束から読み取った各ページの画像データから前記識別情報抽出部により識別情報を抽出し、前記欠落ページの識別情報を抽出したときに、該画像データとその識別情報とを前記画像記憶部に追加保存する読取制御部と、を備えることを特徴とする画像読取装置。
【請求項２】
請求項１に記載の画像読取装置において、前記識別情報には、見出し情報およびページ番号が含まれることを特徴とする画像読取装置。
【請求項３】
請求項１に記載の画像読取装置において、前記識別情報は、２次元コードまたはＲＦＩＤで形成されることを特徴とする画像読取装置。
【請求項４】
各ページに、当該ページの固有情報と、少なくとも前後の１ページとの関連を示す共有情報を含む識別情報が付された複数ページからなる原稿束の各ページの画像データを連続して読み取って、画像記憶部に各ページの画像データと前記識別情報とを対応付けて保存する画像読取装置における画像読取方法において、読み取ったページの画像データから前記識別情報を抽出し、前記画像記憶部に当該画像データと識別情報を対応付けて記憶するステップと、前記画像記憶部に記憶された各ページの識別情報に基づいて読み取りが欠落したページを検出するステップと、読み取り完了後に欠落ページが検出された場合、前記欠落したページの識別情報を表示するステップと、再度載置された前記原稿束から読み取った各ページの画像データから識別情報を抽出するステップと、該抽出した識別情報が前記欠落ページの識別情報と合致しているときに、該画像データとその識別情報とを前記画像記憶部に追加保存するステップと、を備えることを特徴とする画像読取方法。
【請求項５】
請求項１乃至３のいずれかに記載の画像読取装置を備えることを特徴とする画像形成装置。
【請求項６】
コンピュータに、請求項４の各ステップを実行させるためのプログラム。
【発明の詳細な説明】
【技術分野】
【０００１】
本発明は、画像読取装置、画像読取方法、および、画像読取装置を備えた画像形成装置および画像読取装置の機能を実行するプログラムに関する。
【背景技術】
【０００２】
現在、複写機では、原稿自動搬送装置により連続複写ができるようになっている。しかしながら、複数の原稿を連続複写したとき、原稿が２枚以上重なって送り出される（ダブルフィードという）ことがあり、この場合には複写ページの欠落が発生してしまうことになる。
このような場合、手作業で欠落ページをチェックしているのが現状であり、発見できない場合には、配布した後で気がつくことになり、その対応に多大な労力を要することになる。
【０００３】
読み取り中の原稿の厚さや長さの相違等により、ダブルフィードを検出してエラーメッセージを表示する装置や、原稿に付されているページ番号が連番ではないことを検出して、欠落ページの一覧を表示する装置は存在している（特許文献１、２）。
【特許文献１】特開平８−１２５８３８号公報
【特許文献２】特開２００２−１３９９６５号公報
【発明の開示】
【発明が解決しようとする課題】
【０００４】
しかしながら、上述の特許文献では、欠落したページが表示されるだけであるので、抜けているページを探す手間は省けるが、欠落したページを挿入するのは手作業で行わなければならず、ユーザの負担を軽減するものではなかった。
【０００５】
本発明は、上述のような実情を考慮してなされたものであって、複数枚の原稿を連続して読み取ったときの欠落ページを補完するユーザの作業負担を軽減する画像読取装置、画像読取方法、画像形成装置およびプログラムを提供することを目的とする。
【課題を解決するための手段】
【０００６】
上述の課題を解決するために、本発明の画像読取装置および画像読取方法は、次のような構成とする。
画像読取装置は、各ページに、当該ページの固有情報と、少なくとも前後の１ページとの関連を示す共有情報を含む識別情報が付された複数ページからなる原稿束の各ページの画像データを連続して読み取る画像読取装置であって、各ページの画像データを前記識別情報と対応付けて保存する画像記憶部を有し、読み取ったページの画像データから前記識別情報を抽出し、前記画像記憶部に当該画像データと識別情報とを対応付けて記憶する識別情報抽出部と、前記画像記憶部に記憶された各ページの識別情報に基づいて読み取りを欠落したページを検出する欠落ページ検出部と、前記欠落ページ検出部で欠落ページが検出された場合、前記原稿束の読み取り完了後に表示部に前記欠落したページの識別情報を表示して、前記原稿束の読み取りを促し、再度載置された前記原稿束から読み取った各ページの画像データから前記識別情報抽出部により識別情報を抽出し、前記欠落ページの識別情報を抽出したときに、該画像データとその識別情報とを前記画像記憶部に追加保存する読取制御部と、を備えるものである。
【０００７】
また、画像読取方法は、各ページに、当該ページの固有情報と、少なくとも前後の１ページとの関連を示す共有情報を含む識別情報が付された複数ページからなる原稿束の各ページの画像データを連続して読み取って、画像記憶部に各ページの画像データと前記識別情報とを対応付けて保存する画像読取装置における画像読取方法であって、読み取ったページの画像データから前記識別情報を抽出し、前記画像記憶部に当該画像データと識別情報を対応付けて記憶するステップと、前記画像記憶部に記憶された各ページの識別情報に基づいて読み取りが欠落したページを検出するステップと、読み取り完了後に欠落ページが検出された場合、前記欠落したページの識別情報を表示するステップと、再度載置された前記原稿束から読み取った各ページの画像データから識別情報を抽出するステップと、該抽出した識別情報が前記欠落ページの識別情報と合致しているときに、該画像データとその識別情報とを前記画像記憶部に追加保存するステップと、を備えるものである。
【０００８】
前記識別情報には、見出し情報およびページ番号が含まれており、２次元コードまたはＲＦＩＤで形成されることが望ましい。
【０００９】
また、画像形成装置に、上述した画像読取装置を備えたものであっても、上記課題を解決することができる。
また、上述した構成の画像読取装置の各部として、コンピュータを機能させるためのプログラムを作成しておき、このプログラムをコンピュータで実行することによっても上記課題を解決することができる。
【発明の効果】
【００１０】
本発明によれば、複数枚の原稿を連続して読み取った際に生じた欠落ページを検出し、その欠落ページを補完するというユーザの作業負担を軽減することができる。
【発明を実施するための最良の形態】
【００１１】
以下、図面を参照して、本発明の好適な実施形態について説明する。
【００１２】
図１は、本発明の実施形態に係る画像読取装置の概略構成を示すブロック図である。尚、本発明は、画像読取装置を備える複写機、ファクシミリ装置や複合機にも適用可能である。
【００１３】
また、この画像読取装置で扱う原稿には、各原稿を識別するための識別情報が二次元コード（例えば、ＱＲコード（登録商標））の形式で原稿用紙の余白の特定位置に印刷されているものとする。
【００１４】
上記の識別情報には、図２に例示したように、「固有情報」と「共有情報」とがある。
「固有情報」は、原稿を印刷したときに振られた「通し番号」と「章番号」と「ページ番号」と「見出し」から構成され、「共有情報」は、ページ間の関連性を認識するための「総ページ数」と「前後数ページ分の通し番号を除いた固有情報」で構成されている。
この識別情報は、例えば、図３のように原稿の右下の余白部分等に二次元コードによって印刷されるが、認識可能な位置であればどこにあっても構わない。
【００１５】
同図において、固有情報は、
本ページ｛通し：１５、章：３、ページ：１２、見出し：見出し３｝
のように、固有情報の見出しを表わす「本ページ」の文字列と、その内容を｛  ｝の中に「通し」、「章」、「ページ」、「見出し」等の名札と区切り記号「：」に引き続いてデータを配置する。
【００１６】
また、共有情報の「総ページ」については、
総ページ｛１７｝
のように、「総ページ」の文字列と、その内容である総ページ数が｛  ｝の中に配置される。
【００１７】
また、共有情報の「前ページの固有情報」については、
前ページ｛章：２−１、ページ：７、見出し：見出し２｝
のように、「前ページ」の文字列と、その内容を｛  ｝の中に「章」、「ページ」、「見出し」等の名札と区切り記号「：」に引き続いてデータを配置する。
【００１８】
また、共有情報の「次ページの固有情報」については、
次ページ｛章：１、ページ：１、見出し：見出し１｝
のように、「次ページ」の文字列と、その内容を｛  ｝の中に「章」、「ページ」、「見出し」等の名札と区切り記号「：」に引き続いてデータを配置する。
【００１９】
上記の固有情報および共有情報のうち存在しない名札については、その名札とデータを省略するものとする。また、本実施形態では、あるページの前後の１ページの固有情報を関連情報として共有情報に含ませているが、あるページの前後の複数ページの固有情報を関連情報としても構わない。
【００２０】
このように、識別情報をコード情報とすることにより、識別情報の抽出および認識が容易となり処理速度の低下を防止できるとともに、画像読取装置の負担を軽減できる。
【００２１】
図１において、画像読取装置１０は、制御部１、表示装置２、ＲＯＭ（Read Only Memory）３、ＲＡＭ（Random Access Memory）４、記憶部５、原稿読取部６、電源部７を含んで構成されている。
【００２２】
制御部１は、ＣＰＵ（Central Processing Unit）やＭＰＵ（MicroProcessing Unit）によってＲＯＭ（Read Only Memory）３に記憶された制御プログラムを実行することによって、画像読取装置１０全体の動作を制御する。
【００２３】
表示装置２は、表示部２１と操作部２２により構成されている（図４）。
表示部２１は、例えば、各種機能に関する指定画面、設定画面の他、画像読取装置１０の動作状態や各種メッセージ等が表示されるタッチパネルディスプレイにより構成されている。
また、操作部２２は、各種操作キーやスイッチおよびタッチパネルで構成されている。ユーザは、タッチパネル、各種操作キーやスイッチを操作することにより、画像読取に関する設定や読取実行を指定することができる。
【００２４】
ＲＯＭ３は、画像読取装置１０全体を制御する制御プログラムを記憶するメモリである。
ＲＡＭ（Random Access Memory）４は、制御プログラムの実行中に使用するワークメモリである。
記憶部５は、例えば、ハードディスクのような大容量の不揮発性の記憶装置にて構成され、原稿読取部６により読み取られた原稿の画像データ、各種の設定情報や管理データ等が記憶される。
【００２５】
原稿読取部６は、原稿置き台上に置かれた原稿束から原稿を１枚ずつ分離して、スキャナによって走査し、画像データとして取り込む。
電源部７は、画像読取装置１０に電気を供給する。
【００２６】
次に、本発明の動作について説明する。
図５は、本発明の実施形態に係る画像読取装置の制御構造を示すブロック図であり、同図において、画像読取装置１０は、読取制御部１１、識別情報抽出部１２、欠落ページ取得部１３、出力部１４を含んで構成される。
また、記憶部５には、管理情報テーブル記憶部５１、画像記憶部５２の領域が確保されている。
【００２７】
読取制御部１１は、原稿を読み取って識別情報を抽出する識別情報抽出部１２と、読み取った原稿のうち欠落ページを検出して提示し、再度読み取った原稿束から欠落ページを補完させる欠落ページ取得部１３と、欠落ページが補完された原稿の画像データを出力する出力部１４とを制御し、本実施形態における原稿読取機能を制御するものである。
【００２８】
本実施形態における識別情報の抽出処理は、以下に説明するように、（１）二次元コードの画像の抽出、（２）識別情報の抽出、の順に処理される。
【００２９】
（１）二次元コードの画像の抽出：
読み取られた画像データに含まれる二次元コードの画像は、例えば、二次元コードの存在位置が予め決まっている場合には、その位置にある二次元コードの画像を囲む矩形の位置座標を決定することによって抽出する。また、原稿上で二次元コードの画像の存在位置が決まっていない場合であっても、既知の技術によって二次元コードの画像を囲む矩形の位置座標を決定することによって抽出することができる。
【００３０】
（２）識別情報の抽出：
決定された矩形の中にある二次元コードの画像を所定のコード解読アルゴリズムに従って解読し、二次元コードから解読内容を得る。
次に、解読内容から、固有情報および共有情報ごとに上述したような名札に基づいて、各名札に対応する通し番号、章番号、ページ番号や見出し等のデータを抽出する。ここで、これらのいずれかの名札やデータが存在しないときには、その名札に対してはデータなしの値を対応させる。
そして、処理結果として、次の２種類の情報を出力する。
【００３１】
（イ）識別情報の存否：
二次元コードが存在しなかったか、あるいは、二次元コードが存在しても該当する名札が一つも存在しなかった場合には、識別情報が存在しなかったという情報を出力する。
また、二次元コードが存在し、該当する名札が少なくとも一つは存在した場合、識別情報が存在したという情報を出力する。
【００３２】
（ロ）識別情報の出力：
識別情報に該当する名札が少なくとも一つは存在した場合、固有情報および共有情報ごとに各名札とそれに対応するデータとを出力する。
【００３３】
次に、本実施形態で取り扱う読み取った画像データおよびその前後関係を示す管理情報について説明する。
管理情報テーブル記憶部５１は、原稿から読み取った画像データごとに、下記のデータ項目を持つデータ構造を記憶し（図６）、画像記憶部５２は、原稿から読み取った画像データを記憶するデータファイルを格納する。
【００３４】
画像データ番号（Ｎｏ．）：読み取った順番に振った画像データのカウンタ値である。
通し番号：原稿を印刷したときに振ったページの順番号である。
章番号：各ページの章番号である。この章番号には、節の番号を含めた任意の形式でもよい。
ページ番号：各ページの順番号である。このページ番号は、任意に振られるものであって、例えば、原稿全体に振られるものでもよいし、章ごとに振られるものでもよい。
【００３５】
見出し：各ページの種類を示すものであり、「表紙」、「目次」、「見出し番号」、「まとめ」、「裏表紙」等の種類がある。このうち、見出しについては見出しが出現した順番に番号（例えば、「１」や「１０」等）が振られてもよいし、章や節に付けられたタイトルであっても構わない。
【００３６】
また、識別情報が存在しなかった原稿に対しては、識別情報が存在した原稿とは異なる形式で「見出し」が付けられる。そのときの見出しは、例えば、「挿入ページ」の文字列に引き続き、識別情報のない原稿が出現した順番に振られたカウンタ値を結合させた形式とする。
【００３７】
画像データのファイル名：各ページの画像データが記憶されているデータファイルの名前である。このデータファイルは、画像記憶部５２で唯一名となるファイル名が付されて画像記憶部５２に格納される。
【００３８】
図６において、章番号、ページ番号、見出しのデータ項目で、「−」で示されたものは固有情報に記載がなかったことを示している。
また、章番号、ページ番号、見出しのデータ項目で、「ＥＮＤ」で示されたものは、対応する画像データがないこと、即ち、原稿の総ページ数が１７ページであることを示している。
【００３９】
次に、識別情報抽出部１２の動作を、図７のフローチャートを用いて説明する。
ユーザにより、原稿置き台上に原稿束がセットされ、操作部２２が操作されて、読取制御部１１が読み取りの指示を取り込むと、識別情報抽出部１２が起動される。
【００４０】
識別情報抽出部１２は、原稿の枚数をカウントするページカウンタｎをゼロにクリアし（ステップＳ１）、原稿読取部６により原稿を順次搬送しながら原稿を読み取る（ステップＳ２）。ここで、ユーザによって両面読み取りの指定がされた際には、原稿の表裏の画像は別々の画像として取り扱われる。
【００４１】
読み取られた画像データは、逐次、画像記憶部５２に唯一名のファイル名が与えられて格納され（ステップＳ３）、読み取り枚数を管理するためにページカウンタｎがカウントアップされる（ステップＳ４）。
【００４２】
次に、読み取られた画像データに、二次元コードが存在するかを解析し、二次元コードが存在しないときには（ステップＳ５でＮＯ）、ステップＳ１２へ進む。
一方、二次元コードが存在したときには（ステップＳ５でＹＥＳ）、この二次元コードから識別情報を抽出し（ステップＳ６）、識別情報が含まれていない場合（ステップＳ７でＮＯ）、ステップＳ１２へ進む。
【００４３】
一方、二次元コードに識別情報が含まれている場合（ステップＳ７でＹＥＳ）、画像データ番号としてページカウンタｎの値、抽出した識別情報（固有情報と共有情報）、読み込んだ画像データが格納されたファイル名、を新規に管理情報テーブル記憶部５１へ登録し（ステップＳ７）、ステップＳ９へ進む。
上記の固有情報のうち章番号、ページ番号および見出しのいずれかが識別情報に含まれていなかった場合には、それらの値は存在しないという値で登録される。
【００４４】
他方、二次元コードが存在しなかった場合（ステップＳ５でＮＯ）、および、識別情報が存在しなかった場合（ステップＳ７でＮＯ）、画像データ番号としてページカウンタｎの値、生成された識別情報、読み込んだ画像データが格納されたファイル名、を新規に管理情報テーブル記憶部５１へ登録し（ステップＳ１２）、ステップＳ９へ進む。
ここで、上記の生成された識別情報のうち固有情報の各項目は、章番号には存在しないという値、ページ番号には存在しないという値、見出しには識別情報のない原稿が出現した順番に振られた順番号から生成された見出し（「挿入ページ番号」）が設定される。また、共有情報のすべての項目には、存在しないという値が設定される。
【００４５】
次の読み取り原稿の有無が確認され、読み取り原稿が存在する場合には（ステップＳ９でＹＥＳ）、ステップＳ２に戻り、次の原稿の読み取りが継続される。
そして、読み取り原稿がない場合には（ステップＳ９でＮＯ）、ページカウンタｎをカウントアップし（ステップＳ１０）、ｎ枚目は画像が存在しない旨を示す情報（「ＥＮＤ」）を管理情報テーブル記憶部５１に登録して（ステップＳ１１）、処理を終了する。
【００４６】
このようにして、すべての原稿を読み終わると、図６の例では、１７ページの原稿に対する情報が管理情報テーブル記憶部５１に記憶されることになる。
例えば、画像データ番号が「２」の原稿は、固有情報として、通し番号に「２」と見出し「目次」が抽出され、共有情報のうち総ページ数として「１７」、前ページの固有情報として、見出し「表紙」が、次ページの固有情報として、ページ番号「２」と見出し「目次」が抽出され、この表紙の画像データが「ファイル２」という名のデータファイルへ書き出されていることを示している。
【００４７】
また、画像データ番号が「１０」の原稿は、固有情報として、通し番号に「１０」、章番号に「２−１」、ページ番号に「７」、見出しに「見出し番号２」が抽出され、共有情報のうち総ページ数として「１７」、前ページの固有情報として、章番号「１」、ページ番号「６」が、次ページの固有情報として、章番号「２−１」、ページ番号「８」が抽出され、このページの画像データが「ファイル１０」という名のデータファイルへ書き出されていることを示している。
【００４８】
次に、読取制御部１１は、原稿がすべて読み終わると、欠落ページ取得部１３を起動する。
欠落ページ取得部１３は、起動されると、管理情報テーブル記憶部５１に記憶された識別情報を参照して、各画像データを通し番号順に並び替えて、各画像データの固有情報のうち見出しと章番号とページ番号とを、図８に例示するような形式で欠落ページ表示画面に表示する。
【００４９】
図８は、図６のように原稿を読み取ったときに欠落ページがなかった場合の欠落ページ表示画面を示している。
１０１は、読み取られた画像データに付された固有情報の詳細構成を表示するものであり、「見出し」、「章番号」、「ページ番号」の項目別に分類されて表示される。また、これらの項目はそれぞれタッチすることによって選択可能となっている。
１０２は、領域１０１に表示した項目が表示しきれない場合に表示項目を上下にスクロールするためのスクロールボタンである。
【００５０】
１０３は、欠落ページがあった場合に表示する領域で、領域１０１と同じ項目で構成され、これらの項目はそれぞれタッチすることによって選択可能となっている。
１０４は、領域１０３に表示した項目が表示しきれない場合に表示項目を上下にスクロールするためのスクロールボタンである。
１０５は、原稿の読み取り時に欠落ページがあった場合に、挿入するページのページ番号をユーザによって指定する領域である。
【００５１】
また、図９のように読み取った画像データに欠落ページがある場合には、欠落ページ取得部１３は、通し番号の連続性と総ページ数をもとに、通し番号３と４と１７が欠落していることを検出し、それらの通し番号の固有情報を共有情報から取得する。
例えば、通し番号３については、通し番号２の次ページの固有情報から取得し、通し番号４については、通し番号５の前ページの固有情報から取得し、通し番号１７の固有情報は、通し番号１６の次ページの固有情報から取得する。
【００５２】
この場合、欠落ページが３ページ以上連続しているときには、これらの欠落したページの固有情報が取得できない。しかし、前後２ページ以上の固有情報を共有情報として持つようにすれば、取得できるようになる。
【００５３】
そして、欠落ページ取得部１３は、上記のようにして取得された欠落ページに対する見出し、章番号およびページ番号を図１０のような欠落ページ表示画面に表示する。
【００５４】
次に、欠落ページの取得指示について、この欠落ページ表示画面を用いて説明する。
ユーザは、図１０の欠落ページ表示画面の領域１０３をタッチする。
欠落ページ取得部１３は、領域１０３がタッチされたことを検知すると、この領域１０３に表示された欠落ページを反転表示し（図１１）、原稿束の読取指示（スタートキーの押下）を検出するのを待つ。
ユーザは、一度読み取られた原稿束を再度載置した後にスタートキーを押下する。
【００５５】
欠落ページ取得部１３は、この原稿の読取指示（スタートキーの押下）を検知すると、原稿束の読み取りを開始し、原稿を１枚読み取るごとに、以下の処理を繰り返す。
【００５６】
（１）読み取った原稿の画像データに付された識別情報を抽出し、抽出した識別情報の中の固有情報が欠落ページの固有情報と同じかどうかを調べる。
（２）双方の固有情報が一致しなかった場合には、次の原稿を読み取る。
（３）しかし、双方の固有情報が同じであった場合、読み取った原稿の画像データを唯一名のファイル名をつけたデータファイルとして画像記憶部５２に格納する。
（４）次のデータを新規に管理情報テーブル記憶部５１に登録する。
新規に登録するデータは、画像データのページカウンタｎ、読み取った原稿の画像データから抽出した識別情報および上記のファイル名である。
（５）画像データのページカウンタｎをカウントアップして、管理情報テーブル記憶部５１の画像データの最後を示すデータを更新する。
（６）欠落ページ表示画面の領域１０３に表示された欠落ページの一覧から削除して表示を更新する。
【００５７】
このようにしてすべての原稿が読み終わって、すべての欠落ページに該当する原稿が読み取られると、管理情報テーブル記憶部５１は図１２のように更新され、欠落ページ表示画面は図８のように表示される。
【００５８】
しかし、上記の操作により通し番号３，４、１７の３ページ分の欠落ページを補うはずであったが、「見出し１」の原稿（通し番号４）がダブルフィードにより再度読み取ることができなかった場合には、管理情報テーブル記憶部５１は図１３のように更新され、欠落ページ表示画面は図１４のように表示される。
【００５９】
この場合には、図１４の領域１０３に表示された欠落ページの「見出し１」をタッチして、もう一度、原稿束を読み直すことによって、この欠落ページを補完することができる。
【００６０】
上記のようにして、欠落ページの補完が完了すると、ユーザは操作部２２により読取終了を指示する。
読取制御部１１は、読取終了を検知すると、欠落ページ取得部１３の実行を終了して、出力部１４を起動する。
【００６１】
出力部１４は、管理情報テーブル記憶部５１に記憶されている各画像データの固有情報と共有情報とを参照して通し番号順に並べ替えて、画像記憶部５２からこの順番に取り出した画像データを画像読取装置１０の外部に出力する。
【００６２】
尚、出力する際、不要な二次元コードを消去するようにしてもよい。この二次元コードの画像の消去は、例えば、二次元コードの画像の暗部（図形パターンが存在する領域部分）の周囲に存在する画素（つまり背景部分）の濃度平均値で、その暗部の画素値を置き換える等の方法により行われる。
【００６３】
以上のように本実施形態を構成することによって、原稿読取時に検出された欠落ページに対して、補完することが可能となり、ユーザの作業負担を軽減することができる。
また、原稿に印刷されていた二次元コードを消去するようにした場合は、見映えの低下を防止することができる。
【００６４】
尚、上述の実施形態の識別情報抽出部１２では、原稿を１枚読み取るごとに識別情報を抽出していたが、すべての原稿を読み込んでから、読み込んだ原稿の画像データから識別情報を抽出するように構成してもよい。
この場合、すべての原稿を読みながら、読み込んだ原稿の画像データを画像記憶部５２へ書き込んだデータファイルのファイル名と画像データ番号とを管理情報テーブル記憶部５１に登録する。そして、原稿の読み取りが終了した後、各画像データから抽出した識別情報に対する更新がなされる。
【００６５】
また、上述の実施形態では、識別情報を二次元コードとして形成して原稿に印刷されるものとして説明したが、ＲＦＩＤ（Radio Frequency-Identification）タグを用いても同様に適用することができる。
【００６６】
この場合には、原稿の記録用紙にＲＦＩＤタグを所定の位置（例えば、記録用紙の上下左右の余白部分等）に埋め込んでおき、原稿作成時に識別情報（固有情報および共有情報）を取り出し可能なように書き込んでおき、識別情報抽出部１２ではこのＲＦＩＤタグの内容をＲＦＩＤリーダによって読み取って、識別情報を抽出するようにする。
この構成によれば、識別情報を高速に取得できるとともに、識別情報を消去する処理を行わなくても済む。
【００６７】
尚、本発明は上述した実施形態に限定されず、本発明の要旨を逸脱しない範囲内で各種の変形、修正が可能であるのは勿論である。例えば、上述した実施形態を構成する画像読取装置の各部として、コンピュータを機能させるプログラム（上述の制御プログラム）を作成して、予め記録媒体に書き込んでおき、この記録媒体に記録されたこれらのプログラムを当該装置に備えられたメモリあるいは記憶装置に格納し、そのプログラムを実行することによって、本発明の目的が達成されることは言うまでもない。
【００６８】
この場合、記録媒体から読み出されたプログラム自体が上述した実施形態の機能を実現することになり、そのプログラムおよびそのプログラムを記録した記録媒体も本発明を構成することになる。
また、上記プログラムは、そのプログラムの指示に基づき、オペレーティングシステムあるいは他のアプリケーションプログラム等と共同して処理することによって上述した実施形態の機能が実現される場合も含まれる。
【図面の簡単な説明】
【００６９】
【図１】本発明の実施形態に係る画像読取装置の概略構成を示すブロック図である。
【図２】識別情報の固有情報と共有情報の例である。
【図３】読み取る原稿の構成図である。
【図４】複写機の表示装置の外観図である。
【図５】本発明の実施形態に係る画像読取装置の制御構造を示すブロック図である。
【図６】管理テーブル記憶部のデータ構造とデータ例である。
【図７】識別情報抽出部の動作を示すフローチャートである。
【図８】欠落ページのない場合の欠落ページ表示画面の表示例である。
【図９】欠落ページのあった場合の管理情報テーブル記憶部のデータ例である。
【図１０】欠落ページのあった場合の欠落ページ表示画面の表示例である。
【図１１】欠落ページ表示画面において欠落ページを指定したときの表示例である。
【図１２】欠落ページを補完したときの管理情報テーブル記憶部のデータ例である。
【図１３】すべての欠落ページが補完されなかったときの管理情報テーブル記憶部のデータ例である。
【図１４】すべての欠落ページが補完されなかったときの欠落ページ表示画面の表示例である。
【符号の説明】
【００７０】
１…制御部、２…表示装置、２１…表示部、２２…操作部、３…ＲＯＭ、４…ＲＡＭ、５…記憶部、５１…管理情報テーブル記憶部、５２…画像記憶部、６…原稿読取部、７…電源部、１０…画像読取装置、１１…読取制御部、１２…識別情報抽出部、１３…欠落ページ取得部、１４…出力部、１０１…読み込んだ画像データの識別情報の詳細項目を表示する領域、１０２…領域１０１に対するスクロールボタン、１０３…欠落ページの詳細項目を表示する領域、１０４…領域１０３に対するスクロールボタン、１０５…挿入ページ指定領域。
【図１】
0004482590.tif 000002
【図２】
0004482590.tif 000003
【図３】
0004482590.tif 000004
【図４】
0004482590.tif 000005
【図５】
0004482590.tif 000006
【図６】
0004482590.tif 000007
【図７】
0004482590.tif 000008
【図８】
0004482590.tif 000009
【図９】
0004482590.tif 000010
【図１０】
0004482590.tif 000011
【図１１】
0004482590.tif 000012
【図１２】
0004482590.tif 000013
【図１３】
0004482590.tif 000014
【図１４】
0004482590.tif 000015